(57)【要約】【課題】生活用水を必要とする場所に運搬して設置するために小型軽量化し、浄水過程の装置の状態を検知して自動でＲＯ膜の洗浄を行うことができる浄水装置を提供する。【解決手段】取水口と、浄水排出口及び濃縮水排水口とを箱形の本体に有する浄水装置であって、浄水装置内には、取水手段、第１浄化手段、第１原水路、第１水質計測手段、第１圧力計測手段、第２浄化手段、第２原水路、加圧手段、第２圧力計測手段、浄水路、第２水質計測手段、第１濃縮水路、第２濃縮水路、流量可変手段、浄水装置の運転を自動制御する制御装置を備え、制御装置は、第１水質計測手段、第２水質計測手段、第１圧力計測手段及び第２圧力計測手段による計測値に基づいて、原水から浄水を抽出する自動運転を制御することを特徴とする浄水装置とした。【選択図】図３
2015188767.tif 000002
【特許請求の範囲】
【請求項１】
浄化前の原水を内部に取水する取水口と、
原水から抽出した浄水を外部に排出する浄水排出口と、
浄水を抽出した後の原水の濃縮水を外部に排出する濃縮水排水口と、
を箱形の本体に有する浄水装置であって、
前記浄水装置は、
浄化する原水を前記取水口から取水する取水手段と、
前記取水手段により取水した原水を浄化する第１浄化手段と、
原水を前記第１浄化手段に供給するために、前記取水口と当該第１浄化手段とを連通連結する第１原水路と、
前記第１原水路に設けられ、当該第１原水路を通過する原水の水質及び圧力を計測する第１水質計測手段及び第１圧力計測手段と、
前記第１浄化手段で浄化された原水を前記浄水と濃縮水に分離する第２浄化手段と、
前記第１浄化手段から排出された原水を前記第２浄化手段に供給するために、当該取第１浄化手段と当該第２浄化手段を連通連結する第２原水路と、
前記第２原水路に設けられ、前記第１浄化手段で浄化された原水を加圧する加圧手段と、
前記第２原水路に設けられ、前記加圧手段により加圧された原水の圧力を計測する第２圧力計測手段と、
前記第２浄化手段において原水から抽出された浄水を外部に排水するために、前記第２浄化手段と前記浄水排出口とを連通連結する浄水路と、
前記浄水路に設けられ、当該浄水路を通過する浄水の水質を計測する第２水質計測手段と、
前記第２浄化手段において原水から浄水を抽出した後の原水の濃縮水を外部に排水するために、前記第２浄化手段と前記濃縮水排出口とを連通連結する第１濃縮水路と、
前記第１濃縮水路から分岐して前記濃縮水排出口と連結連通する第２濃縮水路と、
前記第２濃縮水路を通過する濃縮水の水量を変化させる流量可変手段と、
前記浄水装置の運転を自動制御する制御装置と、を備え、
前記制御装置は、前記第１水質計測手段、前記第２水質計測手段、前記第１圧力計測手段及び前記第２圧力計測手段による計測値に基づいて、原水から浄水を抽出する自動運転を制御することを特徴とする浄水装置。
【請求項２】
前記第１浄化手段は、前記箱形の本体の側面に複数設けられ、１種類又は２種類以上の性能の異なる濾過膜を有し、
前記第２浄化手段は、前記箱形の本体の上部に複数設けられ、逆浸透膜を有することを特徴とする請求項１に記載の浄水装置。
【請求項３】
前記制御装置は、前記第２水質計測手段及び前記第２圧力計測手段による計測値に基づいて、前記流量可変手段により前記第２浄化手段から排出される濃縮水の水量を変化させることで、前記第２浄化手段が有する逆浸透膜の表面を洗浄することを特徴とする請求項２に記載の浄水装置。
【請求項４】
前記制御装置は、前記第１水質計測手段、前記第２水質計測手段、前記第１圧力計測手段及び前記第２圧力計測手段による計測値に異常を検知した場合、検出した異常の内容を外部に発信する異常発信手段を備えたことを特徴とする請求項１〜３のいずれか１項に記載の浄水装置。
【請求項５】
前記浄水装置は、当該浄水装置で抽出される浄水に塩素系殺菌剤を添加する塩素系殺菌剤添加手段をさらに備え、
前記塩素系殺菌剤添加手段は、
所定濃度の塩素系殺菌剤を貯留する塩素系殺菌剤タンクと、
前記塩素系殺菌剤タンクに貯留されている塩素系殺菌剤を、前記浄水路を通過する浄水に添加する薬注ポンプと、により構成されていることを特徴とする請求項１〜４のいずれか１項に記載の浄水装置。
【発明の詳細な説明】
【技術分野】
【０００１】
本発明は、緊急災害時に河川や湖沼等から汲みあげた原水を、飲料水レベルに浄水して提供することが可能な緊急用の浄水装置に関するものである。
【背景技術】
【０００２】
地震や地震による津波、大雨による河川の氾濫や土石流等の天災により、飲料水等を含む生活用水を供給する浄水場が被災したり水道管が破裂したりして水道水の供給が断たれた被災地や、水道場の設備がなく、近くの河川や井戸から飲料水を確保することしかできない地域においては、飲料水等を含む安全な生活用水の確保が最重要の問題である。
【０００３】
そこで、この対策として、安全な生活用水を給水車にて必要とする場所に運搬して提供する方法はある。また、浄水装置を搭載したトラック等の移動車両を、生活用水を必要とする場所に移動させ、最寄りの河川水、湖沼水又は海水を原水として利用し、搭載した浄水装置により浄水して生活用水等を確保するという方法がある。
【０００４】
上記浄水装置を搭載したトラックにより生活用水等を確保する方法としては、原水を段階的に浄化して最終的に高度に浄化された飲料水を含む生活用水を確保している。具体的には、現地で汲み上げた原水を、回転円筒形濾過器による第一濾過部、限外濾過膜（ＵＦ膜）或いは精密濾過膜（ＭＦ膜）による第二濾過部、逆浸透膜（ＲＯ膜）による第三濾過部により順次処理し、浄水を引用確保するようにしたもの開示されている（特許文献１参照）。
【０００５】
また、上記特許文献１で用いられている逆浸透膜（以下、ＲＯ膜という。）は、原水から溶解有機物（例えば、溶融塩類）や微粒子（細菌等）を除去できて、飲料可能な浄水を得られるものであるが、浄水を繰り返すことで除去した溶解有機物によりＲＯ膜の表面が目詰まりし、浄化能力が低下する場合がある。この場合は、ＲＯ膜の表面を洗浄して浄化能力を回復させる必要がある。
【０００６】
そこで、ＲＯ膜処理部のＲＯ膜を高さ方向に配置し、ＲＯ膜処理部の底面に濃縮汚水排出ラインを設け、ＲＯ膜処理部に空気を導入して水をラインから排出することにより、水位を上げ下げして、ＲＯ膜面の洗浄を行ことで、簡便にＲＯ膜の洗浄ができて容易に浄水化処理運転の再開が可能な緊急用浄水装置の操作方法が開示されている（特許文献２参照）。
【先行技術文献】
【特許文献】
【０００７】
【特許文献１】特許第２７５５１８２号公報
【特許文献２】特開２００６−２７２２００号公報
【発明の概要】
【発明が解決しようとする課題】
【０００８】
しかしながら、特許文献１の構成では、地震等の天災では、地震による衝撃やその後の津波等の発生により幹線道路が破壊（又は寸断）されて、交通ルートそのものが遮断されるケースが多く、復旧には時間がかかるため、浄水装置を備えた大型のトラックが被災地等の生活用水を必要とする場所に到達できないという問題があった。
【０００９】
また、特許文献２におけるＲＯ膜の洗浄方法は、原水を用いてＲＯ膜面を洗浄できるので有効ではあるが、操作者がＲＯ膜の状態を確かめて操作する必要があり、いくら操作方法が簡単で操作者を選ばない方法であったとしても、全自動運転ではないため、人手を要するという問題があった。
【００１０】
本発明は上記課題を解決するためになされたものであり、被災地等の生活用水を必要とする場所に運搬して設置するために小型軽量化し、なおかつ、一旦、自動運転が開始されると、浄水過程の装置の状態を検知して自動でＲＯ膜の洗浄を行うことができる浄水装置を提供することを目的としている。
【課題を解決するための手段】
【００１１】
請求項１に記載の発明は、浄化前の原水を内部に取水する取水口と、原水から抽出した浄水を外部に排出する浄水排出口と、浄水を抽出した後の原水の濃縮水を外部に排出する濃縮水排水口と、を箱形の本体に有する浄水装置であって、前記浄水装置は、浄化する原水を前記取水口から取水する取水手段と、前記取水手段により取水した原水を浄化する第１浄化手段と、原水を前記第１浄化手段に供給するために、前記取水口と当該第１浄化手段とを連通連結する第１原水路と、前記第１原水路に設けられ、当該第１原水路を通過する原水の水質及び圧力を計測する第１水質計測手段及び第１圧力計測手段と、前記第１浄化手段で浄化された原水を前記浄水と濃縮水に分離する第２浄化手段と、前記第１浄化手段から排出された原水を前記第２浄化手段に供給するために、当該取第１浄化手段と当該第２浄化手段を連通連結する第２原水路と、前記第２原水路に設けられ、前記第１浄化手段で浄化された原水を加圧する加圧手段と、前記第２原水路に設けられ、前記加圧手段により加圧された原水の圧力を計測する第２圧力計測手段と、前記第２浄化手段において原水から抽出された浄水を外部に排水するために、前記第２浄化手段と前記浄水排出口とを連通連結する浄水路と、前記浄水路に設けられ、当該浄水路を通過する浄水の水質を計測する第２水質計測手段と、前記第２浄化手段において原水から浄水を抽出した後の原水の濃縮水を外部に排水するために、前記第２浄化手段と前記濃縮水排出口とを連通連結する第１濃縮水路と、前記第１濃縮水路から分岐して前記濃縮水排出口と連結連通する第２濃縮水路と、前記第２濃縮水路を通過する濃縮水の水量を変化させる流量可変手段と、前記浄水装置の運転を自動制御する制御装置と、を備え、前記制御装置は、前記第１水質計測手段、前記第２水質計測手段、前記第１圧力計測手段及び前記第２圧力計測手段による計測値に基づいて、原水から浄水を抽出する自動運転を制御することを特徴とする浄水装置とした。
【００１２】
請求項２に記載の発明は、請求項１に記載の浄水装置において、前記第１浄化手段は、前記箱形の本体の側面に複数設けられ、１種類又は２種類以上の性能の異なる濾過膜を有し、前記第２浄化手段は、前記箱形の本体の上部に複数設けられ、逆浸透膜を有することを特徴とする。
【００１３】
請求項３に記載の発明は、請求項２に記載の浄水装置において、前記制御装置は、前記第２水質計測手段及び前記第２圧力計測手段による計測値に基づいて、前記流量可変手段により前記第２浄化手段から排出される濃縮水の水量を変化させることで、前記第２浄化手段が有する逆浸透膜の表面を洗浄することを特徴とする。
【００１４】
請求項４に記載の発明は、請求項１〜３のいずれか１項に記載の浄水装置において、前記制御装置は、前記第１水質計測手段、前記第２水質計測手段、前記第１圧力計測手段及び前記第２圧力計測手段による計測値に異常を検知した場合、検出した異常の内容を外部に発信する異常発信手段を備えたことを特徴とする。
【００１５】
請求項５に記載の発明は、請求項１〜４のいずれか１項に記載の浄水装置において、前記浄水装置は、当該浄水装置で抽出される浄水に塩素系殺菌剤を添加する塩素系殺菌剤添加手段をさらに備え、前記塩素系殺菌剤添加手段は、所定濃度の塩素系殺菌剤を貯留する塩素系殺菌剤タンクと、前記塩素系殺菌剤タンクに貯留されている塩素系殺菌剤を、前記浄水路を通過する浄水に添加する薬注ポンプと、により構成されていることを特徴とする。
【発明の効果】
【００１６】
本発明によれば、コンパクトな箱形に浄水装置の本体を形成しているので、例えば、小型トラック（所謂、軽トラック）等で、生活用水が不足している被災地の近傍の原水の取水源（河川や湖沼等）に簡単に運搬して設置することができる。また、地震等の震災により幹線道路が寸断されて大型トラック等の通行が不可能な場合でも、小型トラック等であれば小道等の迂回路を走行することができるので、浄水装置の取水源までの運搬が見込める。さらに、最悪の場合は被災地近傍にヘリコプター等で運搬し、そこから取水源まで小型トラック等で運搬することも可能である。
【００１７】
浄水装置は、取水手段により取水源から原水を取水し、第１浄化手段、第２浄化手段の順序で浄水することで、被災地等で生活に必要な飲料水を含む生活用水を提供することを可能としている。また、浄水装置の運転を自動制御する制御装置は、原水や浄水の水質を検知する第１水質計測手段により計測した原水の水質が本浄水装置の浄水性能を超えて悪かった場合や、第１浄化手段及び第２浄化手段で浄化し、第２水質計測手段により計測した浄水の水質が生活用水に適さなかった場合を検知して、浄水装置の作動を制御することができる。また、制御装置は、第１浄化手段、第２浄化手段に供給される原水の圧力を検知する第１圧力計測手段及び前記第２圧力計測手段により、第１浄化手段や第２浄化手段の浄化機能の低下や故障等の発生を検知して、浄水装置の作動を制御することができる。
【００１８】
また、浄水装置の第１浄化手段は、１種類又は２種類以上の性能の異なる濾過膜を有し、箱形の本体の前面に対向する側面（後面ともいう）に複数設けられている。この濾過膜としては、周知のナノ濾過膜（以下、ＮＦ膜という）、限外濾過膜（以下、ＵＦ膜という）及び精密濾過膜（以下、ＭＦ膜という）等が好適に用いられる。浄水装置の第２浄化手段は、逆浸透膜を有し箱形の本体の上部に複数設けられている。この逆浸透膜としては、周知のＲＯ膜が好適に用いられる。
【００１９】
複数（例えば、２個）設けられた第１浄化手段は、原水に含まれる浮遊物質（例えば、コロイド粒子や細菌等）を除去する機能を有し、ＮＦ膜は、１ナノメートル〜１０ナノメートルの大きさの浮遊物質を濾過する。ＵＦ膜は、１０ナノメートル〜０．１マイクロメートルの大きさの浮遊物質を濾過する。ＭＦ膜は、０．１マイクロメートル〜１０マイクロメートルの大きさの浮遊物質を濾過する。
【００２０】
複数（例えば、４個）設けられた第２浄化手段に用いられるＲＯ膜は、原水に含まれる溶解塩類、溶解有機物、１ナノメートル以下の浮遊物質の微粒子を濾過する機能を有するものであり、超純水製造等の用途に使用されるものである。そして、本実施例においては、この第２浄化手段のＲＯ膜で浄水が抽出される原水の前処理として上記第１浄化手段による原水の浄化が行われる。
【００２１】
また、制御装置は、第２水質計測手段及び第２圧力計測手段による計測値に基づいて、流量可変手段により第２浄化手段から排出される濃縮水の水量を変化させることで、第２浄化手段のＲＯ膜の表面を洗浄することができる。第２浄化手段に用いられるＲＯ膜は、時間の経過とともにＲＯ膜の表面に、原水からの除去物質（溶解塩類、溶解有機物、浮遊物質の微粒子等）が付着することにより表面に目詰まりを生じ、原水の浄化機能が低下してゆく。
【００２２】
このため、例えば、所定時間が経過すると、第１濃縮水路から分岐して濃縮水排出口と連結連通された第２濃縮水路に設けられた流量可変手段を開放して第２濃縮水路に濃縮水を通過させる。第２濃縮水路に濃縮水を通過させると、第１濃縮水路及び第２濃縮水路を通過して濃縮水排出路から浄水装置の外に排出される濃縮水の量が増加する。これにより、第２浄化手段に第２原水路から供給される原水の量が増加するとともに、第２原水路から供給される原水の圧力が低下する。このため、第２浄化手段のＲＯ膜の表面を低圧力の大量の原水が勢いよく通過することになり、ＲＯ膜の表面に付着した原水からの除去物質が洗い流されて、濃縮水排出口から浄水装置の外部に排出されて、第２浄化手段のＲＯ膜の表面が洗浄（所謂、フラッシング洗浄）されることになる。このようにして、本実施例の浄水装置は、自動運転が開始されると、自動でＲＯ膜の表面の洗浄を行うことができる浄水装置を提供することを可能としている。
【００２３】
また、制御装置は、第１水質計測手段、第２水質計測手段、第１圧力計測手段及び第２圧力計測手段による計測値に異常を検知した場合、検出した異常の内容を外部に発信することができる。つまり、本実施例における制御装置は、浄水装置が有する各種計測器（第１水質計測手段、第２水質計測手段、第１圧力計測手段及び第２圧力計測手段等）で異常を検出すると、当該浄水装置の作動を制御（つまり、自動運転の停止）すると共に、この異常内容を外部に発信する異常発信手段を備えている。
【００２４】
これにより、本浄水装置の制御装置は、第１水質計測手段、第２水質計測手段、第１圧力計測手段及び第２圧力計測手段による計測値に基づいて制御装置が原水から浄水を得る自動運転を制御するため、自動運転中に保守員等の人手を必要とすることがない。さらに、制御装置で検知した自動運転の状態（例えば、異常を検知した事による自動運転の停止等）を無線や携帯電話回線で保守員待機場所に送信することができる。これにより、例えば、被災地における複数の取水源にそれぞれ浄水装置を設置した場合でも、複数の浄水装置の自動運転の状態を保守員待機場所で把握することが可能となり、必要最小限の保守員（メンテナンス要員）で、多数の浄水装置のメンテナンスを行うことができる。
【００２５】
また、本実施例の浄水装置は、当該浄水装置で抽出される浄水に塩素系殺菌剤を添加する塩素系殺菌剤添加手段をさらに備えている。この塩素系殺菌剤添加手段は、所定濃度の塩素系殺菌剤（例えば、次亜塩素酸ソーダ、次亜塩素酸カルシウム等）を貯留する塩素系殺菌剤タンクと、前記塩素系殺菌剤タンクに貯留されている塩素系殺菌剤を、浄水路を通過する浄水に添加する薬注ポンプにより構成されている。
【００２６】
上述した、第２浄化手段で得られる浄水は、飲料水をはじめとする生活用水として使用することができる。しかし、第２浄化手段で得られる浄水は超純水であるため、すぐに生活用水として使用することには問題ないが、保管タンク（ペットボトル等）で保存した場合、時間の経過と共に雑菌等が繁殖する可能性がある。このため、通常の水道水と同様に所定濃度の塩素系殺菌剤（例えば、次亜塩素酸ソーダ、次亜塩素酸カルシウム等）を添加することで、保管タンクで保存可能な浄水を提供することを可能としている。
【図面の簡単な説明】
【００２７】
【図１】本発明の一実施例の浄水装置の外観を示す正面図である。
【図２】本発明の一実施例の浄水装置の外観を示す側面図である。
【図３】本発明の一実施例の浄水装置の浄化の流れを説明する回路図である。
【図４】本発明の一実施例の浄水装置の制御装置の構成を示すブロック図である。
【発明を実施するための形態】
【００２８】
以下、本発明の実施例に係る浄水装置について、図面を参照しながら具体的に説明する。なお、本実施例における浄水装置は、例えば、生活用水が不足している被災地等の原水が貯留されている河川、湖沼、プール等の取水源の近傍に簡単に運搬して好適に使用できるものであるが、生活用水が必要な場所であれば如何なる場所にも設置できる。また、浄水装置を作動させるためには定格（例えば、１００Ｖ又は２００Ｖ）の電源が必要であるが、停電等で電源が取れない場合がある。この場合は、周知の燃料（ガソリン、灯油等）を用いて発電するポータブルの発電機を浄水装置と一緒に取水源近傍に設置して使用することにより、浄水装置の電源として用いることができる。
【００２９】
図１は本発明の一実施例の浄水装置の外観を示す正面図である。図２は本発明の一実施例の浄水装置の外観を示す正面図である。図３は本発明の一実施例の浄水装置の浄化の流れを説明する回路図である。図４は本発明の一実施例の浄水装置の制御装置の構成を示すブロック図である。
[浄水装置概要]
【００３０】
以下、図１及び図２を参照して本実施例の浄水装置１０の概要を説明する。図１及び図２に示すように、浄水装置１０の本体１は、前面２、後面３（前面に対抗する側面）、上面４、底面５及び側面６、６を有する箱形に形成されている。この箱形本体のサイズは、一例として、幅Ｗ（６００ｍｍ）、奥行きＤ（１１１７ｍｍ）、高さＨ（１３００ｍｍ）、重量（２３５Ｋｇ）である。このように、コンパクトな箱形の本体１としているため、小型トラック等の荷台に載置して、原水が貯留されている河川、湖沼及びプール等（以下、取水源という。）の近傍に簡単に運搬することを可能としている。
【００３１】
本体１の前面２の上部には、浄水装置１０の作動を操作するための各種操作スイッチ、浄水装置１０の状態を表示する各種ランプ及び浄水装置１０が有する各種計測器の状態を表示する表示器等が設けられている。各種操作スイッチとしては本浄水装置１０を作動させる作動／停止ボタン８１等が設けられている。各種計測器の状態の表示としては浄水装置１０に設けられた計測器（後述の第１水質計測手段及び第２水質計測手段としての電気伝導率計等）による原水及び浄水の水質を表示する水質表示器８２等である。
【００３２】
本体１の前面２の下部には、浄水装置１０内に取水源に貯留されている原水を吸い上げる取水口１１、浄水装置１０で原水から抽出された浄水を排出する浄水排出口１２、浄水装置１０で原水から浄水を抽出した後の濃縮水を排出する濃縮水排出口１３が設けられている。この取水口１１、浄水排出口１２及び濃縮水排出口１３には、図示はしないが、塩化ビニール製のホースが接続される接続部が設けられ、取水口１１に接続された塩化ビニール製のホースの先端を取水源に投入することで浄水装置１０内に原水を吸い上げる構成としている。
【００３３】
本体１の前面２の下部の取水口１１、浄水排出口１２及び濃縮水排出口１３の左側には、第１流量計１６ａと第２流量計１７ａとが設けられている。第１流量計１６ａは浄水排出口１２から排出される浄水の流量を表示するものであり、第２流量計１７ａは濃縮水排出口１３から排出される濃縮水の流量を表示するものである。なお、第１流量計１６ａ及び第２流量計１７ａは、周知のフロート式流量計（面積式流量計）が好適に用いられ、垂直に設けられたテーパー管の中で浄水や濃縮水の流量の大小により上下するフロートが釣り合う位置により、浄水排出口１２及び濃縮水排出口１３から排出される浄水及び濃縮水の流量を表示するものである。
【００３４】
本体１の底面５の四隅には、浄水装置１０の移動を助ける４個のキャスター９０が設けられている。この４個のキャスター９０は、浄水装置１０の移動方向に回転自在であり、かつ、取水源近傍に設置された後は浄水装置１０が動かないようにロック機能を備えたものである。このように、浄水装置１０の移動を助ける複数のキャスター９０を設けることで、短い距離等においては、人力でも容易に移動可能な浄水装置１０とすることができる。
【００３５】
本体１の後面３には、本実施例における第１浄化手段としての２個の第１フィルタ３０が設けられている。また、本体１の上面４には、本実施例における第２浄化手段としての４個の逆浸透膜（ＲＯ膜）を有する第２フィルタ４０が設けられている。第１フィルタ３０は、１種類又は２種類以上の性能の異なる濾過膜（ＮＦ膜、ＵＦ膜及びＭＦ膜）を有し、原水に含まれる浮遊物質（例えば、コロイド粒子や細菌等）を除去する。
【００３６】
本実施例においては、上記取水口１１から浄水装置１０内に吸い上げた原水を第２フィルタ４０に供給する原水の前処理として上記第１フィルタ３０による原水の浄化が行われる。第１フィルタ３０で浄化された原水は第２フィルタ４０のＲＯ膜により原水に含まれる溶解塩類、溶解有機物、１ナノメートル以下の浮遊物質の微粒子が濾過された浄水と、浄水を抽出した後の原水の濃縮水とに分離されて、上記浄水排出口１２及び濃縮水排出口１３から浄水装置１０の外部に排出される。
[浄水装置による原水の浄化の流れ]
【００３７】
以下、図３を参照して本実施例の浄水装置１０による原水の浄化の流れを更に詳細に説明する。図３に示すように、取水源１００に貯留している原水は、浄水装置１０の取水手段である吸上げポンプ２０により取水口１１から浄水装置１０の内部に吸い上げられる。この吸上げポンプ２０には、吸上げポンプ２０による原水の吸上げを容易にするためのポンプ用呼び水タンク２１が付設されている。
【００３８】
取水口１１から浄水装置１０の内部に吸い上げられた原水は、取水口１１と第１フィルタ３０とを連通連結する第１原水路１４を経由して、浄水装置１０の本体１の後面３に設けられた２個の第１フィルタ３０に供給される（図１参照）。この時、第１フィルタ３０に供給される原水は、吸上げポンプ２０により所定の圧力（例えば、０．４ＭＰａ）が加圧されて第１フィルタ３０に供給される。
【００３９】
第１原水路１４には、第１原水路１４を通過する原水の圧力を計測する第１圧力計測手段としての第１圧力センサ６０が設けられている。この第１圧力センサ６０としては、液体（原水）に係る圧力を感圧素子で感知して電気信号に変換して制御装置２００に出力する周知の圧力センサが好適に用いられる。そして、詳細は後述するが、第１圧力センサ６０により第１原水路１４を通過する原水の圧力異常を検知した制御装置２００は自動運転を制御（例えば、自動運転の停止）する。
【００４０】
また、第１原水路１４には、第１原水路１４を通過する原水の水質を計測する第１水質計測手段としての第１電気伝導率計７０が設けられている。この第１電気伝導率計７０としては、原水の電気伝導率を電気信号として制御装置２００に出力する周知の電気伝導率計が好適に用いられる。そして、詳細は後述するが、第１電気伝導率計７０により第１原水路１４を通過する原水の水質異常を検知した制御装置２００は自動運転を停止する。
【００４１】
第１フィルタ３０で浄化された原水は、第１フィルタ３０と第２フィルタ４０とを連通連結する第２原水路１５を経由して浄水装置１０の本体１の上面４に設けられた４個の第２フィルタ４０（図１参照）に供給される。第２原水路１５には、第１フィルタ３０で浄化された原水を加圧して第２フィルタ４０に供給する加圧手段としての加圧ポンプ２３が設けられている。本実施例の第２フィルタ４０は、逆浸透膜であるＲＯ膜により、第２フィルタ４０内で浄水と浄水を抽出した後の原水の濃縮水とに分離するために、加圧ポンプ２３により所定の圧力（例えば、１．０ＭＰａ）が加圧されて第２フィルタ４０に供給される。
【００４２】
第２原水路１５には、第２原水路１５を通過する原水の圧力を計測する第２圧力計測手段としての第２圧力センサ６１が設けられている。この第２圧力センサ６１としては、上記第１圧力センサ６０と同様に、原水に係る圧力を感圧素子で感知して電気信号に変換して制御装置２００に出力する周知の圧力センサが好適に用いられる。そして、詳細は後述するが、第２圧力センサ６１により第２原水路１５を通過する原水の圧力異常を検知した制御装置２００は、浄水装置１０の自動運転を制御（つまり、自動運転の停止）する。
【００４３】
また、制御装置２００は、第２原水路１５を通過する原水の圧力上昇を検知した場合は、第２フィルタ４０内のＲＯ膜の表面に原水からの除去物質（溶解塩類、溶解有機物、浮遊物質の微粒子等）が付着することにより、ＲＯ膜の表面に目詰まりを生じて原水の浄化機能が低下したものと判断して、後述の第２フィルタ４０内のＲＯ膜の表面の洗浄（所謂、フラッシング洗浄）を自動で行うことができる。
【００４４】
第２フィルタ４０には、第２フィルタ４０内で原水から抽出された浄水を外部に排水するために、当該第２フィルタ４０と浄水排出口１２とを連通連結する浄水路１６と、第２フィルタ４０において原水から浄水を抽出した後の濃縮水を外部に排水するために、当該第２フィルタ４０と濃縮水排出口１３とを連通連結する第１濃縮水路１７とが接続されている。そして、第２フィルタ４０内で原水から抽出された浄水は、浄水路１６を経由して浄水排出口１２から浄水装置１０の外部に排水される。一方、第２フィルタ４０内で浄水を抽出した後の原水（以下、濃縮水という。）は、第１濃縮水路１７を経由して濃縮水排出口１３から浄水装置１０の外部に排水される。
【００４５】
加圧ポンプ２３により所定の圧力に加圧されて、第２原水路１５から第２フィルタ４０に供給される原水は、４個の第２フィルタ４０のうちのフィルタ４０ａ及びフィルタ４０ｂの２個の第２フィルタ４０に供給される。そして、フィルタ４０ａ及びフィルタ４０ｂにより原水から抽出された浄水は浄水路１６に排水される。フィルタ４０ａ及びフィルタ４０ｂにより浄水が抽出された後の原水は、４個の第２フィルタ４０のうちのフィルタ４０ｃ及びフィルタ４０ｄにそれぞれ供給される。フィルタ４０ｃ及びフィルタ４０ｄにより原水から抽出された浄水は浄水路１６に排水される。一方、フィルタ４０ｃ及びフィルタ４０ｄにより浄水を抽出されたあとの濃縮水は、第１濃縮水路１７に排水される。
【００４６】
つまり、本実施例においては、第２原水路１５から供給される原水は、まず、４個の第２フィルタ４０のうちのフィルタ４０ａ及びフィルタ４０ｂの２個の第２フィルタ４０に供給される。そして、そこで浄水が抽出された後の原水は、次に、フィルタ４０ｃ及びフィルタ４０ｄにそれぞれ供給されてさらに浄水の抽出が行われる。言い換えると、本実施例においては、４個の第２フィルタ４０は、第２原水路１５とそれぞれ並列に連通連結されているわけではなく、第２原水路１５と４個の第２フィルタ４０のうちのフィルタ４０ａ及びフィルタ４０ｂとが並列で連通連結され、このフィルタ４０ａ及びフィルタ４０ｂとフィルタ４０ｃ及びフィルタ４０ｄとがそれぞれ直列で連通連結される構成としている。
【００４７】
上述した第２原水路１５と第２フィルタ４０とを連通連結する構成により、４個の第２フィルタ４０と第２原水路１５とをそれぞれ並列に連通連結した場合と比較して、第２フィルタ４０内を通過する原水の流速を略２倍に高めることが可能となる。この結果、本実施例に係る浄水装置１０は、ＲＯ膜表面への有機物や微粒子の付着を抑え、第２フィルタ４０の寿命を長くすることが可能となる。なお、第２原水路１５と４個の第２フィルタ４０との連通連結は、上述した実施例に限らず、例えば、第２原水路１５と４個の第２フィルタ４０とを全て直列で接続することもできる。この場合、４個の第２フィルタ４０は、直径を拡大し全長を短くする等の形状の変更を行い、浄水装置１０の上面４（図１参照）に効率よく配置されることが望ましい。これにより、時間単位で抽出される浄水量を更に増加させることが可能となる。
【００４８】
浄水路１６には、浄水路１６を通過する浄水の水質を計測する第２水質計測手段としての第２電気伝導率計７１が設けられている。この第２電気伝導率計７１は、上記第１電気伝導率計７０と同様に、浄水の電気伝導率を電気信号として制御装置２００に出力する周知の電気伝導率計が好適に用いられる。そして、詳細は後述するが、第２電気伝導率計７１により浄水路１６を通過する浄水の水質異常を検知した制御装置２００は自動運転を制御（自動運転の停止）する。
【００４９】
浄水路１６の第２電気伝導率計７１の近傍には第１流量計１６ａが設けられている。この第１流量計１６ａは浄水排出口１２から排出される浄水の流量を表示するものであり、周知のフロート式流量計が用いられる。そして、これも詳細は後述するが、第１流量計１６ａにより浄水路１６を通過する浄水の水量の減少を検知した制御装置２００は、第２フィルタ４０内のＲＯ膜の表面の自動洗浄を行う場合がある。
【００５０】
浄水路１６と浄水排出口１２との接続部の近傍には、浄水装置１０で抽出された浄水に塩素系殺菌剤（例えば、次亜塩素酸ソーダ、次亜塩素酸カルシウム等）を添加する塩素系殺菌剤添加手段をさらに備えている。この塩素系殺菌剤添加手段は、所定濃度の塩素系殺菌剤を貯留する塩素系殺菌剤タンク５０と、この塩素系殺菌剤タンク５０に貯留されている塩素系殺菌剤を、浄水路１６を通過する浄水に添加する薬注ポンプ５１と、薬注ポンプ５１による塩素系殺菌剤を浄水路１６に添加可能とする第１ニードルバルブ５２とにより構成されている。そして、第１ニードルバルブ５２が開放されると、塩素系殺菌剤タンク５０に貯留されている塩素系殺菌剤が、薬注ポンプ５１の圧力により浄水路１６を通過する浄水に添加される。
【００５１】
このように、第２フィルタ４０内で原水から抽出された浄水に、通常の水道水と同様に塩素系殺菌剤を添加することで、時間の経過と共に浄水に雑菌等が繁殖することを防止することができ、例えば、ペットボトル等で保存可能な浄水を提供することが可能となる。
【００５２】
第１濃縮水路１７の濃縮水排出口１３の近傍には第２流量計１７ａが設けられている。この第２流量計１７ａは濃縮水排出口１３から排出される濃縮水の流量を表示するものであり、周知のフロート式流量計が用いられる。第２流量計１７ａには、流量制御を行うことができる第２ニードルバルブ１７ｄが付設されており、この第２ニードルバルブ１７ｄの開閉は、本体１の前面２の上部に設けられている浄水装置１０の作動を操作するための各種操作スイッチ（図１参照）で操作することができ、第２ニードルバルブ１７ｄの開閉を操作することで、濃縮水排出口１３から排出される濃縮水の流量を調整可能としている。
【００５３】
第１濃縮水路１７の中途には、第１濃縮水路１７と浄水路１６と連通連結して第２電気伝導率計７１の上流に第１濃縮水路１７を通過する濃縮水を分岐させて供給するための第３濃縮水路１７ｂが設けられている。第１濃縮水路１７と第３濃縮水路１７ｂとの分岐部には、第３濃縮水路１７ｂへの濃縮水の通過を可能とする第３ニードルバルブ１７ｃが設けられている。この第３ニードルバルブ１７ｃの開閉は、本体１の前面２の上部設けられている浄水装置１０の作動を操作するための各種操作スイッチ（図１参照）で操作することができる。そして、第３ニードルバルブ１７ｃを開放することで、第１濃縮水路１７を通過する濃縮水が浄水路１６の第２電気伝導率計７１の上流に供給されて浄水排出口１２から浄水装置１０の外部に排水される。
【００５４】
このように、本実施例においては、第１濃縮水路１７を通過する濃縮水を、第３濃縮水路１７ｂを介して浄水路１６の第２電気伝導率計７１の上流に供給することで、第２電気伝導率計７１による水質の計測値が正常か否かの検査を行うことができる。第２電気伝導率計７１として用いられる電気伝導率計は、故障した際に水質の計測結果として超純水を示す数値しか出力しない場合がある。つまり、第２電気伝導率計７１が故障していても水質の計測結果が正常を示す場合がある。このため、定期的に濃縮水（不純物質が含まれている水）を第２電気伝導率計７１により計測することで、第２電気伝導率計７１が正常に作動しているか否かを確かめることができ、第２電気伝導率計７１が故障した状態で浄水の水質の計測が行われることを防止することができる。
【００５５】
第１濃縮水路１７の中途には、第１濃縮水路１７から分岐して濃縮水排出口１３と連結連通する第２濃縮水路１８が設けられている。第１濃縮水路１７と第２濃縮水路１８との分岐部には、第２濃縮水路１８を通過する濃縮水の水量を変化させる流量可変手段としての電磁弁１９が設けられている。
【００５６】
そして、この電磁弁１９を開放して、第２フィルタ４０から排出され、第１濃縮水路１７を通過して濃縮水排出口１３から浄水装置１０の外部に排出する濃縮水の水量を変化させることができる。このように、第１濃縮水路１７と第２濃縮水路１８との分岐部に設けた電磁弁１９を開放して第２濃縮水路１８に濃縮水を通過させることにより、第１濃縮水路１７及び第２濃縮水路１８を流通して濃縮水排出口１３から浄水装置１０の外部に排出される濃縮水の量を増加させることができる。
【００５７】
これにより、第２フィルタ４０に第２原水路１５から供給される原水の量が増加するとともに、第２原水路１５を通過して第２フィルタ４０に供給される原水の圧力が低下することになる。このため、第２フィルタ４０内において、浄水の抽出機能が低下したＲＯ膜の表面を低圧力の大量の原水が勢いよく通過することになる。これにより、ＲＯ膜の表面に付着した原水からの除去物質が洗い流されて、濃縮水排出口１３から浄水装置１０の外部に排出される。つまり、第２フィルタ４０内のＲＯ膜の表面が洗浄（所謂、フラッシング洗浄）されることになる。
【００５８】
上述した、第２フィルタ４０内のＲＯ膜の表面の洗浄（所謂、フラッシング洗浄）は、第２電気伝導率計７１、第２圧力センサ６１及び第１流量計１６ａによる計測値に基づいて、制御装置２００が自動で行うことができる。つまり、制御装置２００は、第２圧力センサ６１により第２原水路１５を通過する原水の圧力上昇を検知した場合、第２電気伝導率計７１により浄水路１６を通過する浄水の水質異常を検知した場合、又は、第１流量計１６ａにより浄水路１６を通過する浄水の流量が低下したことを検知した場合に、上述したように、第１濃縮水路１７と第２濃縮水路１８との分岐部に設けた電磁弁１９を開放して濃縮水排出口１３から浄水装置１０の外部に排出される濃縮水の量を増加させることにより、第２フィルタ４０内のＲＯ膜の表面の洗浄を行うことができる。このようにして、本実施例の浄水装置１０は、自動運転が開始されると、自動で第２フィルタ４０内のＲＯ膜の表面の洗浄を行うことができる。なお、第２フィルタ４０内のＲＯ膜の表面の洗浄は、時間を設定して定期的に行ってもよい。
【００５９】
制御装置２００は、第１水質計測手段としての第１電気伝導率計７０、第２水質計測手段としての第２電気伝導率計７１、第１圧力計測手段としての第１圧力センサ６０、第２圧力計測手段としての第２圧力センサ６１及び第１流量計１６ａによる計測値に基づいて、浄水装置１０の原水から浄水を抽出する自動運転を制御する。第１電気伝導率計７０、第２電気伝導率計７１、第１圧力センサ６０、第２圧力センサ６１及び第１流量計１６ａによるによる原水の圧力、原水又は浄水の水質の計測値及び浄水の流量は、電気信号として制御装置２００に伝達される。そして、上述したように、この各種計測器（第１電気伝導率計７０、第２電気伝導率計７１、第１圧力センサ６０、第２圧力センサ６１及び第１流量計１６ａ等）により異常を検知した制御装置２００は、浄水装置１０の自動運転を停止したり、第２フィルタ４０内のＲＯ膜の表面の洗浄を作動したりする。
【００６０】
なお、この制御装置２００の構成については、詳細は後述するが、上記各種計測器だけではなく、取水手段としての吸上げポンプ２０、加圧手段としての加圧ポンプ２３及び薬注ポンプ５１等の作動状態を監視し、これらに異常を検知したときは自動運転を停止する制御を行う。また、制御装置２００は、各種計測器（第１電気伝導率計７０、第２電気伝導率計７１、第１圧力センサ６０、第２圧力センサ６１及び第１流量計１６ａ等）や各種ポンプ（吸上げポンプ２０、加圧ポンプ２３及び薬注ポンプ５１等）に異常を検知した場合、検出した異常の内容を外部に発信する異常発信手段を備えることができる。つまり、本実施例における制御装置２００は、浄水装置１０が有する各種計測器及び各種ポンプに異常を検出した場合、浄水装置１０の作動を制御（つまり、自動運転の停止）すると共に、この異常内容を外部に発信する異常発信手段を備えている。
【００６１】
このため、制御装置２００で検知した自動運転の状態（例えば、異常を検知した事による自動運転の停止等）を公衆通信回線網（インターネット回線、携帯電話回線等）で所定の保守員待機所に設置されたパソコンや携帯電話に送信する。これにより、例えば、被災地における複数の原水の取水源１００に複数の浄水装置１０を設置した場合でも、複数の浄水装置１０の自動運転の状態を所定の保守員待機所で待機するメンテナンス要員が把握することが可能となり、必要最小限のメンテナンス要員で、多数の浄水装置１０の管理、メンテナンス（保守、点検）を行うことを可能としている。
【００６２】
上述した、原水、浄水及び濃縮水が通過する第１原水路１４、第２原水路１５、浄水路１６、第１濃縮水路１７、第２濃縮水路１８及び第３濃縮水路１７ｂは、ステンレス鋼（ＳＵＳ）や塩化ビニールのホース等で構成され、浄水装置１０の本体１の内部に効率よく収納されている。
[浄水装置の制御装置の構成]
【００６３】
以下、図４を参照して、本実施形態の浄水装置１０の制御装置２００の構成を説明する。
【００６４】
制御装置２００は、記憶部２０１、入出力制御部２０２、制御部２０３、外部通信Ｉ／Ｆ（ＩｎｔｅｒＦａｃｅ）部２０４等から構成されている。
【００６５】
記憶部２０１は、周知のＨＤＤ（Ｈａｒｄ  Ｄｉｓｋ  Ｄｒａｉｖｅ）やフラッシュメモリなどにより構成され、本実施形態における様々なデータを記憶する記憶手段である。この記憶手段には、浄水装置１０に異常発生履歴、自動洗浄履歴（第２フィルタ４０内のＲＯ膜の表面の自動洗浄の履歴）が蓄積されて記憶される。このように、ここで記憶された浄水装置１０の異常発生履歴及び自動洗浄履歴は、後述の発信手段でメンテナンス要員が待機する保守員待機所におけるパソコンや、携帯電話に送信され、当該浄水装置１０の保守、点検、部品の交換等に役立てられることになる。
【００６６】
入出力制御部２０２は、制御装置２００に接続されている各種計測器（第１圧力センサ６０、第２圧力センサ６１、第１電気伝導率計７０、第２電気伝導率計７１及び第１流量計１６ａ）からの計測値である電気信号、各種ポンプ（吸上げポンプ２０、加圧ポンプ２３及び薬注ポンプ５１等）の状態信号、作動／停止ボタン８１の動作信号、電磁弁１９や水質表示器８２などの入出力を制御する。
【００６７】
制御部２０３は、図示しないＣＰＵ（中央演算装置）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリなどで構成されている。また、この制御部２０３のＣＰＵは、ＲＯＭ及び記憶部２０１に予め記憶されている各種プログラムを実行することにより、浄水装置１０の自動運転を制御する。
【００６８】
外部通信Ｉ／Ｆ制御装置２０４は、外部の公衆通信回線網５００と接続され、制御部２０３からの指示に基づいて、記憶部２０１に記憶されている浄水装置１０の状態（異常発生履歴、自動洗浄履歴等）を保守員待機所３００のパソコンや携帯電話等の送信する制御を行う。つまり、この制御装置２００の制御部２０３及び外部通信Ｉ／Ｆ制御装置２０４は異常発信手段として機能することになる。
【００６９】
上述してきたように、本実施例に係る浄水装置１０は、被災地等の生活用水を必要とする場所に運搬して設置するために浄水装置１０の本体１を箱形にコンパクトとに形成しているため、例えば、震災等で幹線道路が分断された場合でも、小型トラックにより、原水の取水源（河川や湖沼等）の近傍に設置することが可能である。また、一旦、自動運転が開始されると、浄水過程の装置の状態を検知して自動で第２フィルタ４０内のＲＯ膜の表面の洗浄を行うことができるので、浄水機能が低下することなく、安定して生活用水を提供することが可能となる。
【００７０】
また、原水を浄化する第１フィルタ３０は本体１の裏面に設置し、第２フィルタ４０は本体１の上面４に載置する構成としているため、浄水装置１０の本体１を開けて第１フィルタ３０及び第２フィルタ４０のメンテナンスを行う必要がない。また、第１フィルタ３０に用いられる原水の濾過膜や第２フィルタ４０に用いられる逆浸透膜等の交換も容易に行うことが可能である。
【００７１】
また、本実施例の浄水装置１０は、一旦、取水源近傍に設置して原水の浄化の自動運転を開始した後は、浄水装置内において原水を循環させる運転を継続して行うことが望ましい。原水の浄化の自動運転が終了した後に浄水装置１０の運転を停止すると、第２フィルタ４０内に原水が滞留し、この原水の不純物（溶解塩類、溶解有機物、浮遊物質の微粒子等）がＲＯ膜の表面に付着することによりＲＯ膜の表面に目詰まりを生じ、第２フィルタ４０の浄化機能が低下する恐れがある。このため、原水の浄化の自動運転を行わない場合（つまり、浄水を抽出する必要ない場合）は、上述した第２フィルタ４０内のＲＯ膜の表面の洗浄（所謂、フラッシング洗浄）運転を継続して行うことが望ましい。
【００７２】
以上、本発明の実施例の一例を説明したが、本発明の具体的な構成は前記実施例に限定されるものではなく、発明の要旨を逸脱しない範囲の設計変更等があっても本発明に含まれる。
【符号の説明】
【００７３】
１  本体
２  前面
３  後面
４  上面
５  底面
６  側面
１０  浄水装置
１１  取水口
１２  浄水排出口
１３  濃縮水排出口
１４  第１原水路
１５  第２原水路
１６  浄水路
１７  第１濃縮水排出路
１８  第２濃縮水排出路
１９  電磁弁
２０  吸上げポンプ
２３  加圧ポンプ
３０  第１フィルタ
４０  第２フィルタ
５０  塩素系殺菌剤タンク
５１  薬注ポンプ
５２  第１ニードルバルブ
６０  第１圧力センサ
６１  第２圧力センサ
７０  第１電気伝導率計
７１  第２電気伝導率計
２００  制御装置
【図１】
2015188767.tif 000003
【図２】
2015188767.tif 000004
【図３】
2015188767.tif 000005
【図４】
2015188767.tif 000006